(57)【要約】【課題】  本発明は、無線通信及び無線カバレージエリアと連結又は重なる屋内ネットワーク、特に産業科学医療用（ＩＳＭ）バンドのような無免許周波数域で動作するネットワークに関する。【解決手段】無線インターフェイス・チャネルに関連する送信電力制御方法に係り、第２無線インターフェイス・チャネルを介して送信される信号のサービス品質指標を判定し、第１無線インターフェイス・チャネルの送信による第２の無線インターフェイス・チャネルへの干渉に対応する干渉レベルを判定し、信号が第２無線インターフェイス・チャネルにて送信され、サービス品質が所定値以上であり、干渉レベルがサービス質の値が所定値以上のとき、第１無線インターフェイス・チャネルに関連する送信電力の変更要求を出す。【選択図】  なし【特許請求の範囲】
【請求項１】
無線インターフェイス・チャネルに関連する送信電力を制御する方法であって、
第２の無線インターフェイス・チャネルに送信されるべき信号のサービス品質指標を決定し、
前記第１の無線インターフェイス・チャネルへの送信によって生じる第２の無線インターフェイス・チャネルへの干渉に対応する干渉指標を決定し、
前記信号が前記第２の無線インターフェイス・チャネルに送信されることになるとき、前記サービス品質指標が所定値以上であるとき、前記干渉指標が前記サービス品質の値に対して所定値以上であるとき、前記第１の無線インターフェイス・チャネルに関連する送信電力の変更を要求することを含む、方法。
【請求項２】
前記信号が第２の無線インターフェイス・チャネルに送信されることになるとき、前記第１の無線インターフェイス・チャネルに関連する送信電力を変更することを更に含む、請求項１に記載の方法。
【請求項３】
前記信号が第２の無線インターフェイス・チャネルに送信されることになるとき、前記第１の無線インターフェイス・チャネルに関連する送信を延期あるいは抑制することを更に含む、請求項１に記載の方法。
【請求項４】
前記サービス品質指標及び前記干渉指標の決定は、要求サービス品質および干渉レベルの予測に基づいている、請求項１ないし３のいずれか１項に記載の方法。
【請求項５】
干渉指標の決定は、前記第１の無線インターフェイス・チャネルを介して送受信される信号が前記第２の無線インターフェイス・チャネルへの送信と同じ時間内で発生するか否かを判定することを含む、請求項１ないし４のいずれか１項に記載の方法。
【請求項６】
前記第１・第２の無線インターフェイス・チャネルは異なるインターフェイス技術に関連する、請求項１ないし５のいずれか１項に記載の方法。
【請求項７】
基地局と複数のトランシーバを使用する２以上の移動局とを含む無線ネットワークにおいて、前記トランシーバに電力レベルを割り当てる方法であって、
第１の前記トランシーバを介して送信される信号が高サービス品質レベル指標を有しているか否かを判定し、
前記信号が送信されることになっているとき、第１の前記トランシーバ以外の他のトランシーバのいずれかが第１の前記トランシーバに所定レベルの干渉を生じさせるか否かを判定し、
トラフィック信号が第１の前記トランシーバを介して送信される際に、第１の前記トランシーバ以外の他のトランシーバのうち１以上のトランシーバの送信電力レベルを下げる命令を出すことを含む、方法。
【請求項８】
前記トランシーバは連結されている、請求項７に記載の方法。
【請求項９】
基地局と複数のトランシーバを使用する２以上の移動局とを含む無線ネットワークにおいて、前記トランシーバに電力レベルを割り当てる方法であって、
前記トランシーバの１つを高サービス品質信号に割り当て、
他の前記トランシーバが別途に、所定量以上、高サービス品質信号に干渉するようであれば、送信電力レベルを下げることを他の前記トランシーバに命令することを含む、方法。
【請求項１０】
無線インターフェイス・チャネルに関連する送信電力を制御する装置であって、
第２の無線インターフェイス・チャネルに送信される信号のサービス品質指標を決定する手段と、
前記第１の無線インターフェイス・チャネルへの送信によって生じる、前記第２の無線インターフェイス・チャネルへの干渉に対応する干渉指標を決定する手段と、
前記信号が前記第２の無線インターフェイス・チャネルにて送信されることになるとき、前記サービス品質指標が所定値以上であるとき、そして前記干渉指標が前記サービス品質値に対して所定値以上であるとき、前記第１の無線インターフェイス・チャネルに関連する送信電力の変更を要求する手段を含む、無線インターフェイス・チャネルに関連する送信電力の変更を要求する手段を含む、装置。
【請求項１１】
前記信号が第２の無線インターフェイス・チャネルにて送信されることになるとき、前記第１の無線インターフェイス・チャネルに関連する送信電力を変更する手段を更に含む、請求項１０に記載の装置。
【請求項１２】
前記信号が第２の無線インターフェイス・チャネルに送信されることになるとき、前記第１の無線インターフェイス・チャネルに関連する送信を延期、あるいは抑制する手段を更に含む、請求項１０に記載の装置。
【請求項１３】
サービス品質指標及び干渉指標の決定は、要求サービス品質および干渉レベルの予測に基づいている、請求項１０ないし１２のいずれか１項に記載の装置。
【請求項１４】
前記干渉指標決定手段は、前記第１の無線インターフェイス・チャネルを介して送受信される信号が第２の無線インターフェイス・チャネルへの送信と同じ時間内で発生するか否かを判定する手段を含む、請求項１０ないし１３のいずれか１項に記載の装置。
【請求項１５】
前記第１・第２の無線インターフェイス・チャネルは異なるインターフェイス技術に関連する、請求項１０ないし１４のいずれか１項に記載の装置。
【請求項１６】
基地局と複数のトランシーバを使用する２以上の移動局とを含む無線ネットワークにおいて、前記トランシーバに電力レベルを割り当てる装置であって、
第１の前記トランシーバによって送信される信号が高サービス品質指標を有しているか否かを判定する手段と、
前記信号が送信されることになるとき、他の前記トランシーバのいずれもが第１の前記トランシーバに対して所定レベルの干渉を生じさせるか否かを判定する手段と、
トラフィック信号が第１の前記トランシーバによって送信されるときに、他の１以上の前記トランシーバの送信電力レベルを下げる命令を出す手段とを含む、装置。
【請求項１７】
前記トランシーバは連結されている、請求項１６に記載の方法。
【請求項１８】
基地局と複数のトランシーバを使用する２以上の移動局とを含む無線ネットワークにおいて、前記トランシーバに電力レベルを割り当てる装置であって、
前記トランシーバの１つを高サービス品質信号に割り当てる手段と、
他の前記トランシーバが別途に、所定量以上、高サービス品質信号に干渉するようであると送信電力レベルを下げることを他の前記トランシーバに命令する手段を含む、方法。
【請求項１９】
請求項１ないし９のうちいずれか１項に記載の方法を実行する処理装置を制御するプロセッサ読み取り可能コードを持つキャリア媒体。
【発明の詳細な説明】
【技術分野】
【０００１】
本発明は無線通信及び、特に、屋内の隣接した、または重なり合った無線カバレージエリアのネットワーク、特に産業科学医療用（ＩＳＭ）帯域のような無免許周波数帯において動作することを意図したネットワークに関する。
【背景技術】
【０００２】
異なるチャネルを使用した隣接無線カバレージエリアは未だに相互干渉しており、隣合うチャネルの抑制は受信機の実装と送信周波数域マスクに大きく依存する。同様に、直接拡散方式や周波数ホッビング方式のような不整合広帯域メカニズムを使用し、重なり合ったあるいは隣接する無線ＬＡＮカバレージエリアも同じあるいは近接チャネルが同時に使用されるときにある程度相互に“意図的に”干渉し合う。典型的にはこれらチャネルは（周波数分割多重アクセスにおいて使用されるような）周波数、タイムスロット（時分割多重アクセス）、コード（コード分割多重アクセス）、あるいは組み合わせによって定義される。所定のチャンネルの干渉レベルは、必要な干渉信号の信号強度を含む多くの要因に依存する。前記必要な干渉信号は送信電力レベルおよび信号伝播環境に順次依存する。例えば、屋内環境において予測することが一般的に難しいような所望信号干渉信号の強いマルチパスフェージングがあり得るか否かに依存する。
【０００３】
許容できる干渉レベルはどんなタイプのデータが送信されているかによる。例えば、eメールのような非リアルタイムデータは、正確に受信されなかった場合、再度送信することができる。しかし、別のタイプ、つまりビデオベースレイヤーフレーム(video base layer frames)のようなリアルタイムデータは再送信のような遅延はより重大であり、敏感である。従って、許容遅延時間内にリアルタイムデータを配信するためにはより高い品質のチャネルが必要である。
【０００４】
“屋内ブロードバンド無線ネットワーク用の動的再構成及び効果的な出所割当”（Ｔ．Ｆａｒｎｈａｍ及びＢｒｉａｎ  Ｆｏｘｏｎ、ユニバーサル・パーソナル・コミュニケーション１９９８、ＩＣＵＰＣ、'９８  ＩＥＥＥ１９９８国際会議、第１巻、１９９８年、５３〜５７ページ）は、時分割及び周波数分割多重アクセスメカニズムを使用するアクセスポイント、すなわち基地局クラスタを有する屋内無線アクセスネットワークについて述べている。ネットワークはタイプ１（映像）、タイプ２（データ）トラフィックに対して異なる干渉閾値を設定する。すなわち、タイプ１の閾値はビデオが遅延に敏感であるほど低くなる。このことは、再送信の必要性を避けるためなにより正確に送る必要があることを意味する。ネットワークの干渉レベルが高いため現存チャネルでの送信を待機しているタイプ１のパケットがあまりにも多い場合、ネットワークは異なるチャネル間で切り換える。チャネル切り換えのトリガは平均バッファ占有期間とエラー率超過時間に基づいている。
【発明の開示】
【課題を解決するための手段】
【０００５】
概略的には、本発明は、少なくとも１の基地局および１以上の移動局を有する無線ネットワークを制御する方法を提供する。この方法では、基地局と移動局間で割り当てられるチャネルのパワーレベルは高サービス質レベル（ＱｏＳ）要求によってトラフィック送信しているチャネルの干渉レベルを減少するために動的に変えられる。
【０００６】
チャネルパワーレベルを制御することにより、ネットワークは高ＱｏＳを要求しているトラフィック（例えばパケット）を送信するチャネルの状態を最適化できる。このことは、低ＱｏＳ要求でトラフィックを送信するチャネルのパワーレベルを低減することになる。この低ＱｏＳ要求は、高干渉レベルとなり、低ＱｏＳトラフィックのために遅延がより大きくなるかもしれないが、ならないかもしれない。これにより、必要なときに低干渉チャネルを与えることにより、しかし容量を減じる全時間をこれら低干渉チャネルに維持する必要性をネットワークに課すことをしないでより大きな精度でより重要な、あるいは敏感なデータを送信できる。
【０００７】
特に、本発明の１局面によれば、無線インターフェイス・チャネルに関連した送信電力を制御する方法を提供する。この方法、第２の無線インターフェイス・チャネルに送信される信号についてサービス品質指標を決定し、第１の前記無線インターフェイス・チャネルへの送信によって生じる第２の無線インターフェイス・チャネルへの干渉に対応する干渉指標を決定し、前記信号が前記第２の無線インターフェイス・チャネルに送信されることになるとき、サービス品質指標が所定値以上になるとき、そして前記干渉指標が前記サービス質の値について所定値以上であるとき、第１の無線インターフェイス・チャネルに関連する送信電力の変更を要求することを含む。
【０００８】
好ましくは、信号が第２の無線インターフェイス・チャネルに送信されることになるとき、第１の無線インターフェイス・チャネルに関連する送信電力が変更される。
【０００９】
もしくは、それが不可能な場合、前記信号が第２の無線インターフェイス・チャネルに送信されることになるとき、第１の無線インターフェイス・チャネルに関連する送信は延期または抑制してもよい。
【００１０】
サービス品質及び干渉レベルの指標決定は、要求サービス品質および干渉レベルの予測に基づく。
【００１１】
干渉指標の決定は、第１の無線インターフェイス・チャネルを介して送受信される信号が第２の無線インターフェイス・チャネルへの送信と同時間内に発生するか否かを判定してもよい。
【００１２】
第１・第２の無線インターフェイス・チャネルは、ＷＬＡＮ  ＩＥＥＥ８０２．１１標準やＰＡＮ用のブルートゥースなどの異なるインターフェイス技術と関連されている。
【００１３】
本発明の他の局面によれば、基地局と、複数のトランシーバを使用する２以上の移動局とを含む無線ネットワークにおいてトランシーバに電力レベルを割り当てる方法を提供する。この方法は、第１のトランシーバを介して送信される信号が高サービス品質指標を有しているか否かを判定し、前記信号が送信されることになるとき、他の前記トランシーバのいずれかが第１のトランシーバに所定レベルの干渉を生じさせるか否かを判定し、トラフィック信号が第１のトランシーバを介して送信されるときに、１以上の他のトランシーバの送信電力レベルを下げることを指示することを含む。
【００１４】
好ましくは、前記複数のトランシーバは連結されている。
【００１５】
更に本発明の他の局面によると、基地局と、複数のトランシーバを使用する２以上の移動局とを含む無線ネットワークにおいて、前記トランシーバに電力レベルを割り当てる方法を提供する。この方法は、前記トランシーバのうち１つを高サービス質信号に割り当て、他の前記トランシーバが別に、所定量以上、高サービス質信号に干渉することになれば、送信電力レベルを下げることを前記他のトランシーバに命令することを含む。
【００１６】
本発明の他の局面によれば、これらの方法を実行するコンピュータや処理装置を制御可能なソフトウエアまたはコンピュータ・プロセッサ及びこれらの方法を実行する対応装置を提供することができる。
【発明を実施するための最良の形態】
【００１７】
本発明をより良く理解するために以下に図面を参照して実施形態を説明する。これらの図面は一例であり、これに限定されるものではない。
【００１８】
図１は、多数の移動局１に無線接続された１以上の基地局、すなわちハブ２を有する無線ネットワークの実施形態を示している。ネットワークは１以上のカバレージエリア５内に配置されている。これらカバレージエリア５はパーソナルエリアネットワーク（ＰＡＮ）でもよい。各ＰＡＮは複数の連結ブルートゥースピコネットにより構成され、各ブルートゥースピコネットはＰＡＮ内で異なる移動局１に寄与する。また、ネットワークは、隣接あるいは重なり合っているＩＥＥＥ８０２２．１１カバレージエリア５からなる無線ローカルエリアネットワーク（ＷＬＡＮ）またはＰＡＮとＷＬＡＮの組み合わせであってもよい。無線信号３は、各移動局１とそれに対応する基地局２とを接続する。これら無線信号３は、（４として示される）共同チャネルや隣接チャネル干渉を（特に）生じさせる隣接エリア５にも伝播するかもしれない。
【００１９】
図２ａは、カバレージエリア５内で移動局１と通信するための４つの無線インターフェイス処理チェーン（１６ａ、１６ｂ、１６ｃ、１６ｄ）を備える基地局、すなわちアクセスポイント２ａの概略図である。各チェーン１６ａ〜１６ｄは、（無線信号の変調・復調、同期化、フレーム検出の開始、周波数ホッピング、媒体アクセス制御、リンク管理、パケットの受送信のような）無線アクセス技術の関連する送信および／または受信機能、即ちトランシーバ１４ａ〜１４ｄを有する。各トランシーバは、トランシーバ信号３の送信電力レベルを制御する送信電力制御機能１５ａ〜１５ｄと、トランシーバ１４の送受信周波数（チャネル）を設定するシンセサイザー１７ａ、１７ｂ、１７ｃ、１７ｄとを有する。
【００２０】
基地局２は更に、電話回線、イーサネット（登録商標）ＬＡＮやＷＬＡＮの場合の他の基地局のような外部に接続している結合データリンク１０と分離無線インターフェイス処理チェーン１６とをインターフェイスで接続するためのマルチプレクサ／デマルチプレクサを設けてもよい。
【００２１】
各無線インターフェイス処理チェーン１６は更に、送信管理機能（ＴＭ）１２ａ〜１２ｄと関連している。送信管理機能（ＴＭ）は、対応するトランシーバ１４ａ、１４ｂ、１４ｃ、１４ｄに対して送信電力制御を行い、対応する送信管理機能１５を使用してカバレージエリア（例えばブルートゥースピコネット５）内の各トランシーバ１４の送信電力レベルを制御し、それによってトランシーバ１４内で実行される無線インターフェイス特定電力制御アリゴリズムを無効にすることができる。この電力管理をサポートする送信管理機能機能１２内で必要とする詳細な機能が図３および図４を参照して見ることができる。
【００２２】
トランシーバ１４ａに対応する送信管理機能（ＴＭ）１２ａは、先ず、次の（又は後続の）送信パケットが高サービス質（ＱｏＳ）要求を出しているか否かを判定する。これは、デマルチプレクサで実行されるパケット分類方法及びパケット内の所定フィールドによって、またはパケットタイプおよびサイズを分析することによって、あるいは異なるトランシーバ１４に割り当てられた固定優先度によって表示される。この表示は二値、即ち高（重要）または低（ベストエフォート）であってもよく、あるいは異なる操作を必要とする各種レベルのＱｏＳがあってもよい。
【００２３】
次のパケットが高ＱｏＳ（つまり、干渉しないで達成できるよりも高いもの）を要求している場合、ＴＭ機能１２ａ内の機能は、チャネル３における干渉レベルの評価を決定する。このチャネル３は、他のＴＭ機能１２ｂ、１２ｃ、１２ｄをそれら次の送信スロット（特に周波数、すなわちチャネルや送受信タイミング）に関して問合わせることによって次の（所定の）送信スロット（即ち、パケットが送信されることになっている他の送信期間）の間にトランシーバ１４ａが送受信することになっているチャネルである。トランシーバ１４ｂ、１４ｃ、１４ｄが次のスロットで送信しようとしているか否かを判定することによって、ＴＭ機能１２ａはその受信部１４ａｒにおいて起こりそうな干渉を推定できる。この干渉は、（周波数選択フェージングを無視しており、相似もしくは実際には同一のアンテナパターンを仮定している）送信部１４ａｔからの送信のうちの受信移動局１において観察されるであろう干渉レベルでもある。なお、干渉を受信モジュール毎に別々に推定することもできる。これについては後で詳しく述べる。
【００２４】
現在のＴＭ機能１２ａは次の送信スロットにわたってその意図する送信について自己のカバレージエリア５（例えばピコネット）内の移動局１に問合せするようにも構成できる。ＴＭ機能は、次の期間にどの移動局が送信することになっているか（おそらく送信しようとしているか）を推定することも可能である。例えば、基地局から移動局への送信または移動局から基地局への前回の送信を分析することによって推定できる。
【００２５】
ＷＬＡＮの場合には、トランシーバ１４ａが高ＱｏＳパケットを送受信しようとしているときに、現在の基地局２ａの他のトランシーバ１４ｂ、１４ｃ、１４ｄが送信しようとしているか否かを判定することに加えて、隣接するカバレージエリア５内の無線トランシーバが次のスロット中に送信しようとしているか否かをＴＭ機能１２ａは判定できる。この判定は、通信信号やその他の制御信号を与えるデータリンク１０を介して、カバレージエリア５と関連している他の基地局２ｂ等に問合わせることにより行う。現在のＴＭ機能１２ａは隣接カバレージエリア５のみの基地局２ａ等に問合せしてもよいし、信号伝搬環境に応じて現在の基地局２ａから離れた複数のカバレージエリア５の基地局２に問合わせることもできる。同様に、これら他の基地局２と通信している移動局１も問い合わせられ、あるいはその送信が推定されるかもしれない。
【００２６】
これら全ての情報を基にあるいはその一部情報を基にＴＭ機能１２ａは、トランシーバ１４ａと、このトランシーバに次の送受信スロットを介して接続される移動局の関連するチャネルに生じる、あるいはおそらく生じることになる干渉を評価できる。推定干渉が高ＱｏＳパケットの所定閾値以上の場合、ＴＭ機能１２ａは干渉しているトランシーバ１４ｂ（もしくは複数のトランシーバ）を選択し、高ＱｏＳパケットを送信（または受信）しようとしている現在のトランシーバ１４ａ（及びトランシーバ１４ａを介して接続される移動局）と関連するチェーン１６ａの干渉を低減するために次の送信スロットに対して所定量だけトランシーバ１４ｂの電力を下げることを要求する。トランシーバ１４ａに一連の出入りの高ＱｏＳパケットがあるとき、他のトランシーバ１４ｂ、１４ｃ、１４ｄに対してこの一連のパケットの全期間送信電力を低減することを簡単に要求できる。
【００２７】
電力低減を要求されたトランシーバ１４ｂは“Ｔｘ電力低減”要求を受け取り、（パケット損失の増加可能性を伴って）パケットを低減電力で送信できるか否かを判定する。不可であれば、パケット送信を次の送信機会まで抑制する。同時に予定された抑止不可能な高優先度のパケットが多すぎるために衝突がある場合、ＴＭ機能はチャネル変更の要求を出すことができる。これは無線アクセス技術によっては可能かもしれなく不可能かもしれない。そうでないと、関連電力制御機能１５ｂは次の送信スロット（即ち期間）の間に要求量分だけ電力を低減することを命令される。
【００２８】
説明を簡単にするために、次の送信スロットに関しての方法を述べてきたが、例えば、送信（受信）シーケンスを使用するよう配置することもできる（“屋内無線マルチサービスネットワーク用同期時分割多重化多重アクセスプロトコル”Ｔ．Ｆａｒｎｈａｍ、ユニバーサル・パーソナル・コミュニケーション１９９７、ＩＣＵＰＣ、'９７  ＩＥＥＥ  第６回国際会議１９９７年１０月１２〜１６日）。
【００２９】
図２ｂは、図２ａの基地局２ａと通信するための無線インターフェイス処理チェーン１６ｍａを有する移動局１の概略図である。移動局１は、トランシーバ１４ａの送信電力レベルを制御する送信電力制御機能１５ｍａとトランシーバの送受信周波数（チャネル）を設定するシンセサイザ機能１７ｍａとを有する対応送受信機能、すなわちトランシーバ１４ａを含む。移動局から基地局への送信は、基地局のトランシーバ１４ａ、１４ｂ、１４ｃ、１４ｄのいずれか１つによって受信される。同様に、基地局から移動局への送信は、基地局のトランシーバ１４ａ、１４ｂ、１４ｃ、１４ｄのいずれかからなされる。なお、送信が確実に受信されるためには、トランシーバ１４ａ、１４ｍａが（シンセサイザ１７ａ、１７ｍａを介して）同調されるチャネル（周波数）とトランシーバ１４ａ、１４ｍａによって使用される無線インターフェイス技術（変調及び符号化方式等）は、同一でなければならない。
【００３０】
移動局１は、基地局のトランシーバ（１４ａ）からの送信機電力の上げ下げする要求を受信できるＴＭ機能１２ｍａを有する。通常、これは、無線インターフェイス特定電力制御コマンドによって（すなわち、直接トランシーバ１４ａと１４ｍａ間で）行われる。従って、現存の方法は電力制御コマンドを移動局に伝達するために使用できる。この方法は（移動局から基地局のトランシーバ１４へ要求するため）逆方向で同じコマンドを使用することもできる。しかし、より進歩した電力管理コマンドで長時間にわたる要求を送るためには、ＴＭエンティティ１２ａと１２ｍａ間での分離信号化方法が必要となる（例えば、送信シーケンスはユーザデータチャネルまたは制御チャネルを使用してマルチキャストまたはブロードキャストされる）。
【００３１】
移動局は複数のトランシーバを含んでも良く、この場合、基地局２と同一の方法で実行できる。
【００３２】
図４ａと４ｂはそれぞれ、基地局２と移動局１のＴＭ機能１２の更に詳細な概略図である。説明を簡単にするために、単一のカバレージエリア５内に存在する他のＴＭとトランシーバだけが参照されている。即ち、典型的にはＰＡＮの例のように、単一の基地局２と複数の移動局１によって参照されている。これは、ネットワークを介する適切な制御信号を使用して、例えばＷＡＮのような他のカバレージエリア５内の基地局と移動局に関連するＴＭとトランシーバを含めるように拡張できることが分かる。
【００３３】
図４ａ及び２ａにおいて、基地局２ａのＴＭ機能１２ａは送受信の両方に使用されるトランシーバ１４ａと関連し、デマルチプレクサ１１と（説明の簡単化のために、分離送信部１４ａｔおよび受信部１４ａｒとして示されている）送受信回路との間に接続された第１のバッファ２２を含む。移動局に送られるパケットのルートを決めるのはどのトランシーバかを決定するために、デマルチプレクサ内で行われるパケット分類は発信元・送信先アドレス、パケットタイプ、フローラベル、パケットＱｏＳインジケータの組み合わせを使用できる。
【００３４】
電力管理機能は、図２ａに示すように、トランシーバ１４毎に１つのＴＭ１２を用いてトランシーバ（１４ａ、１４ｂ、１４ｃ、１４ｄ）間に配置される。もしくは単一のＴＭが全トランシーバを制御するために実行できる。いずれの場合でもＴＭの詳細な機能は図４ａに示すように同じである。
【００３５】
スケジューリング機能２４ａは送信パケット列を制御し、高ＱｏＳを要求するパケットが現れる時およびこのパケットが送信される予定となっている時間とを決定する。ＱｏＳは一般的に各パケットの所定分野で、つまりパケットタイプ、パケットサイズ、発信元・送信先アドレス、パケットフローラベルに基づいて要求される。
【００３６】
抑制機能２３ａは、トランシーバ内の電力制御機能（１５ａｔ）に対して送信電力レベルを下げる命令を出すか、もしくは（抑制期間に続く）次の送信機会までパケット送信を一時停止する。前記抑制は数通りの方法で行うことができる。例えば、電力レベルを実質上ゼロまで下げる方法があるが、これはパケット損失や高階層再送信の原因となりやすい。一方、トランシーバを所定時間スリープモードにする方法もある。
【００３７】
性能・トラフィックモニタ機能２７ａは、受信部１４ａｒに関連する性能パラメータを決定する。パラメータの測定は、例えば、信号の長さ、ビットエラー率、パケット待ち時間、パケット送信失敗率、再送信率やこれらの組み合わせにより行うことができる。モニタ機能（２７ａ）は更にトラフィックパターンやアクティビティレベルを観察することができる。これらは通常操作には必要ないが、パケット着信やパケットサイズを分析して干渉の可能性レベルを予測する際に使用できる。これら様々な測定は他のトランシーバからの干渉の影響を常時監視する性能評価機能２５ａによって評価される。高ＱｏＳパケットが指定のトランシーバ１４ａの干渉レベルで送信可能かどうかを決定するためにこの評価情報はスケジューラ２４ａによって使用できる。
【００３８】
性能予測機能２６ａは、他のＴＭ機能からのデータ及び性能評価機能２５ａからの出力に基づいて次の送信スロットに対するトランシーバ１４ａの干渉可能性レベルを推定する。他のＴＭ機能からのデータは（周波数ホップ及びチャネルオフセットパターン送信期限や許容電力レベルを考慮して）未来送信オプションを含めてもよい。前記データは、それらオプションが特定のスロット内で送信しているパケットがどんなＱｏＳレベル（または優先度）を持つかに関する情報を含んでもよい。
【００３９】
これらの予測に基づいて、スケジューラ２４ａは、そのときにチャネルの予測干渉レベルに基づいて所定の送信スロットに高ＱＯＳパケットを送信できるか否かを判定する。干渉レベルが高すぎる場合、スケジューラ２４ａは電力を低減するトランシーバ１４ｂ（あるいは複数のトランシーバ）を選択し、抑制機能２３ｂを介してそのトランシーバ（１４ｂ）に対応する要求を発する。この要求は、パケットの優先レベル、抑制すべき発信元、抑制が要求される時間の長さ及び（例えばデシベル単位の）抑制レベルを含めてもよい。スケジューラの要求が成功した場合、割り当てられた送信時間スロット時に高ＱｏＳパケットを送信する。スケジューラの要求が不成功の場合、スケジューラは電力を低減する他のトランシーバ１４ｃを（それが決定したものが多少の干渉を生じることになり、かつこれが要求を満たすのであれば）選択し、かつ他の要求を行い、もしくは他のタイムスロットまで高ＱｏＳパケット送信を遅らせる。もしくは、無線インターフェイス技術にもよるが可能となるかも、または不可能となるかもしれないチャネル（キャリア周波数）の変更を命令するように構成できる。その際、そのタイムスロットの見込み干渉について予測がなされ、必要に応じて電力低減メッセージが選択トランシーバに送信される。
【００４０】
スケジューラ２４ａは、他のトランシーバ（１６ｂ）から抑制要求（もしくは送信電力低減要求）が成功すると（つまり、抑制機能が電力を低減し、または送信を抑制することを受け入れたとき）、関連抑制機能２３から特定送信スロット抑制要求も受け取る。
【００４１】
トランシーバ１４ａの受信部１４ａｒは、基地局２ａのマルチプレクサ１１と接続される。基地局２ａは受信したパケットを適切な送信先に送る。
【００４２】
図４ｂは、移動局１のＴＭ機能１２ａｍの概略図であり、電力低減要求のような制御信号が全て無線リンクを介して送信されることを除いて、基地局のＴＭ機能１２と相似である。
【００４３】
所定のＰＡＮ又はＷＬＡＮ（あるいはそれらの組み合わせ）は、これらの機能を実行する基地局および移動局の両方を含めてもよく、あるいは、これらの一方がこの構成を使用できる。
【００４４】
上述した機能は、特定用途向けＩＣＡ（ＡＳＩＣ）や書替え可能ゲートアレイ（ＦＰＧＡ）のようなソフトウエアまたはハードウエアによっても実施できる。
【００４５】
以下で実施の一例を更に詳しく述べる。基地局２は連結された４つのトランシーバ１４ａ、１４ｂ、１４ｃ、１４ｄを有する。最初の２つのトランシーバは（ｃｃｋ変調された）８０２．１１ｂ（１４ａ、１４ｂ）無線インターフェイスをサポートしており、後の２つは（周波数ホッピングｆｓｋ変調された）ブルートゥース無線インターフェイス（１４ｃ、１４ｄ）をサポートしている。この例において、ＱｏＳ要求は、１６ａ（高優先度）から１６ｄ（低優先度）の順で固定された優先度割り当てに合わせることができる。各トランシーバはそれぞれ電力制御機能１５ａ、１５ｂ、１５ｃ、１５ｄを有している。説明を簡潔にするために、１つの移動局だけが各トランシーバ１４ａ、１４ｂ、１４ｃ、１４ｄ（以下それぞれ１ａ、１ｂ、１ｃ、１ｄと表示する）と関連している。移動局はＴＭ特定電力制御コマンドを受けることができるが、その他の更に複雑な電力管理機能を行うことはできない。
【００４６】
デマルチプレクサ１１内でパケット分類によって、パケットが送信先アドレス及びパケットタイプに基づいて異なるトランシーバ（そして移動局１ａ、１ｂ、１ｃ、１ｄ）にルート付けすることが確認される。抑制のタイミングの仕様は、干渉が生じるであろうときを正確に推測するために十分な分解能の共用クロックを要求している。この場合、１ブルートゥースタイムスロット（６２５マイクロ秒）の分解能を持つクロックを使用する。また、電力制御方法は、要求される性能の異なるレベルを考慮して十分に正確でなければならない。各トランシーバ１４は、（２０デシベル／ミリワット（ｄＢｍ）、１０ｄＢｍ、４ｄＢｍ、０ｄＢｍの概算送受信電力レベルに相当する）４つの電力レベルをサポートする。性能評価及び予測方法には（パケットＣＲＣチェックを使用する）パケット成功率および待ち時間を利用する。
【００４７】
パケットがトランシーバ１４ａでの送信を待っているとき、対応するスケジューラ機能（２４ａ）は、性能予測器（２６ａ）を使用する。この性能予測器（２６ａ）は、他のトランシーバスケジューリング機能（２４ｂ、２４ｃ、２４ｄ）から得たタイミング情報、周波数チャネルオフセットパターン情報および現トランシーバ性能評価機能（２５ａ）を用いて干渉が受け入れられるか否かを見つける。これが過去の性能の指標を与える。干渉が受け入れられないと見なされる場合（例えば、チャネル間の中心周波数が所定量Δｆ１ｔｒより小さい場合）、干渉が生じるであろうことを性能予測器（２６ａ）が示している期間において１レベル（即ち１４ａトランシーバのレベルより下１レベル）だけ送信を抑制することを適切なトランシーバ抑制機能（２３ｂ，２３ｃ，２３ｄ）に要求される。チャネル中心周波数の分離がΔｆ２ｔｒより小さい場合、２レベル（すなわち、１４ａトランシーバのレベルより下２レベル）だけ送信を抑制することを適切なトランシーバ抑制機能（２３ｂ、２３ｃ、２３ｄ）に要求される。チャネル中心周波数の間隔がΔｆ３ｔｒより小さい場合、３レベル（すなわち、トランシーバ１４ａのレベルより下３レベル）だけ送信を抑制することを適切なトランシーバ抑制機能（２３ｂ、２３ｃ、２３ｄ）要求される。チャネル中心周波数の分離がΔｆ４ｔｒより小さい場合、４レベル（すなわち、トランシーバ１４ａのレベルより下４レベル）だけ送信を抑制することを適切なトランシーバ抑制機能（２３ｂ、２３ｃ、２３ｄ）に要求される。
【００４８】
現トランシーバ１４ａの送信電力レベルが最高レベルより低い場合、スケジューラ（２４ａ）は、抑制要求を他のトランシーバ抑制機能（２３ｂ，２３ｃおよび２３ｄ）に送りながら同時にトランシーバ１４ａの電力レベルを増加することを（電力制御機能１５ａに）要求する。
【００４９】
同様に、トランシーバ１４ａでのパケット受信はトラフィックパターンを観察するモニタ機能（２７ａ）によって予測される。この場合のパターンは固定間隔でのパケットの規則性グループであり、従って次のパケットグループの着信が容易に予測できる。次のパケットグループが予測されると、性能モニタ機能（２７ａ）は性能予測装置（２６ａ）を使用する。この性能予測器は、他のトランシーバのスケジューリング機能（２４ｂ、２４ｃ、２４ｄ）から得たタイミング情報、周波数チャネルオフセットパターン情報及び現トランシーバ性能評価機能（２５ａ）を用いて、受け入れ可能な干渉があるか否かを見つける。これが過去性能の指標を与える。パケット送信について同様に、干渉が受け入れられないと見なされると（この場合、チャネル間の中心周波数が所定量Δｆ１ｔｒより小さいとき）、干渉が生じであろうことを性能予測器２６ａが示している期間において１レベル（１６ａトランシーバのレベルより下１レベル）だけ送信を抑制することを適切なトランシーバ抑制機能（２３ｂ、２３ｃ、２３ｄ）に要求される。チャネル中心周波数の間隔がΔｆ２ｔｒより小さい場合、２レベル（すなわち、トランシーバ１４ａのレベルより下２レベル）だけ送信を抑制することを適切なトランシーバ抑制機能（２３ｂ、２３ｃ、２３ｄ）に要求される。チャネル中心周波数の間隔がΔｆ３ｔｒより小さい場合、３レベル（すなわち、トランシーバ１６ａのレベルより下３レベル）だけ送信を抑制することを適切なトランシーバ抑制機能（２３ｂ、２３ｃ、２３ｄ）に要求される。チャネル中心周波数の間隔がΔｆ４ｔｒより小さい場合、４レベル（すなわち、トランシーバ１６ａのレベルより下４レベル）だけ送信を抑制することを適切なトランシーバ抑制機能（２３ｂ、２３ｃ、２３ｄ）に要求される。
【００５０】
同一の機能が他のＴＭ機能１２ｂ、１２ｃ、１２ｄおいても実施される。
【００５１】
上記の場合、周波数オフセットが主たる決定基準として使用されている。その他にも、例えば固定周波数システムにおいては、変調方式および／または（指向性アンテナの場合の）アンテナ方向を使用できる。
【００５２】
この実施形態はあらゆる無線ネットワークプロトコル、例えばＰＡＮ配列のブルートゥース、ＷＬＡＮ配列のＨｉｐｅｒＬａｎやＩＥＥＥ８０２．１１、に適用可能である。チャネルは、周波数、コード、時間スロット、空間マルチプレキシングなどの周知の手段によって定義することができる。この実施形態は、２以上のチャネルが同時に使用される場合に装置間通信にも適用可能である。
【００５３】
この実施形態は、バーストトラフィック特性によって異なるサービスの質を有効的にサポートする。これにより、無線資源のより効果的な使用を可能にし、異なるサービスやアプリケーションのサポートを向上できる。図５は連結されたピコネットを有するブルートゥースの性能を示している。パケット送信失敗率は多くのアプリケーションにとっては容易に受け入れられない。従って、干渉が受け入れられないとき干渉ピコネットを抑制することによってこのトラフィックは維持できる（この例の場合、パケット送信失敗率は３つの連結ピコネットで１０％強から約３％まで低下するであろう）。その他のサービスでは標準再送信メカニズムで恐らく１０％のパケット送信失敗率に容易に耐えることができる。
【００５４】
図６はブルートゥースアクセスポイントの実現を示している。この構成において、複数のピコネットが物理的な空間で重なり合っており、各ピコネットは１つの移動局をアクセスポイントに無線接続する単一のチャネルを設けている。
【００５５】
これらピコネットの１つ以上は、他のパケットより高いＱｏＳのパケットをサポートするように、例えばＭＰＥＧ４ベースレイアフレームを担うように構成される。期待干渉がこのように専用高ＱｏＳピコネットに関して測定あるいは予測され、電力レベルを有する他のピコネットは必要に応じて抑制される。
【００５６】
図７は、ブルートゥースプロトコルとＩＥＥＥ８０２．１１プロトコルをサポートする装置を示している。ここでブルートゥースは音声呼出しをサポートでき、一方、ＩＥＥＥ８０２．１１はデータ送信をサポートする。パケット再送信は音声呼出しにとって良好なオプションでないので、ブルートゥース接続のＱｏＳはＩＥＥＥ８０２．１１接続よりも重要である。従って、ブルートゥースシステムが送受信している間、性能評価器はＩＥＥＥ８０２．１１送信を抑制する。この場合、性能予測は、単純にブルートゥースシステムとＩＥＥＥ８０２．１１システムとの周波数分離に基づく。
【００５７】
以上、本発明を実施例に関して述べてきた。当業者に自明な変更や改良はこの発明の範囲内に組み込まれている。
【図面の簡単な説明】
【００５８】
【図１】無線ネットワークの概略図である。
【図２ａ】図１のネットワークにおける基地局の概略図である。
【図２ｂ】図１のネットワークにおける移動局の概略図である。
【図３】図２の基地局あるいは移動局の操作方法を示すフローチャートである。
【図４ａ】図２ａの基地局の送信管理装置の概略図である。
【図４ｂ】図２ｂの移動局の送信管理装置の概略図である。
【図５】並置されたブルートゥース(tm)ピコネットのネットワークの性能を示したグラフである。
【図６】ブルートゥース(tm)アクセスポイントの概略図である。
【図７】両ブルートゥース(tm)とＩＥＥＥ８０２．１１プロトコル対応の装置の概略図である。
【図１】
2004274745.tif 000002
【図２ａ】
2004274745.tif 000003
【図２ｂ】
2004274745.tif 000004
【図３】
2004274745.tif 000005
【図４ａ】
2004274745.tif 000006
【図４ｂ】
2004274745.tif 000007
【図５】
2004274745.tif 000008
【図６】
2004274745.tif 000009
【図７】
2004274745.tif 000010
【外国語明細書】
2004274745000001.pdf